(57)【要約】【課題】電磁流量計において、流量測定の回路を利用してコイルの絶縁劣化を診断できるようにする。【解決手段】所定波形の励磁電流を励磁コイルに印加し、測定管内を流れる被測定流体の起電力に基づく流量信号を取得して被測定流体の流量を測定する電磁流量計であって、励磁電流を検出する検出抵抗と、励磁電流の検出結果に基づいたフィードバック制御によるスイッチング動作により所定波形の励磁電流を生成する励磁部と、検出された励磁電流が含有するリプル量に基づいて励磁コイルの絶縁劣化を診断する診断部とを備える。【選択図】図１
2015014575.tif 000002
【特許請求の範囲】
【請求項１】
所定波形の励磁電流を励磁コイルに印加し、測定管内を流れる被測定流体の起電力に基づく流量信号を取得して前記被測定流体の流量を測定する電磁流量計であって、
前記励磁電流を検出する検出抵抗と、
前記励磁電流の検出結果に基づいたフィードバック制御によるスイッチング動作により前記所定波形の励磁電流を生成する励磁部と、
検出された前記励磁電流が含有するリプル量に基づいて前記励磁コイルの絶縁劣化を診断する診断部と、
を備えることを特徴とする電磁流量計。
【請求項２】
前記診断部は、前記リプル量が基準値を超えた場合に前記励磁コイルの絶縁が劣化したと判定することを特徴とする請求項１に記載の電磁流量計。
【請求項３】
前記励磁部は、前記スイッチング動作におけるオン時のパルス幅の最小値を設け、
前記診断部は、前記診断に加え、検出された前記励磁電流の値に基づいて前記励磁コイルの絶縁劣化を診断することを特徴とする請求項１または２に記載の電磁流量計。
【請求項４】
前記診断部は、検出された前記励磁電流の値が第２基準値を超えた場合に前記励磁コイルの絶縁がさらに劣化したと判定することを特徴とする請求項３に記載の電磁流量計。
【請求項５】
フィードバック制御によるスイッチング動作により生成される所定波形の励磁電流を励磁コイルに印加し、測定管内を流れる被測定流体の起電力に基づく流量信号を取得して前記被測定流体の流量を測定する電磁流量計における前記励磁コイルの絶縁劣化診断方法であって、
前記励磁電流を検出し、検出された前記励磁電流が含有するリプル量に基づいて前記励磁コイルの絶縁劣化を診断することを特徴とする絶縁劣化診断方法。
【発明の詳細な説明】
【技術分野】
【０００１】
本発明は、測定管内を流れる被測定流体に磁界をかけ、起電力を測定することで被測定流体の流量を測定する電磁流量計および電磁流量計における励磁コイルの絶縁劣化診断方法に関する。
【背景技術】
【０００２】
電磁誘導を利用して導電性の流体の流量を測定する電磁流量計が知られている。電磁流量計は、直交方向に磁界がかけられた測定管内に被測定流体を流し、発生した起電力を測定管内に取り付けられた一対の検出電極を用いて測定する。この起電力は、被測定流体の流速に比例するため、測定値に基づいて被測定流体の体積流量を得ることができる。
【０００３】
図８は、従来の電磁流量計４００の構成を示す図である。本図の例では、電磁流量計４００は測定管５００を流れる導電性の被測定流体の流量を測定するものとする。
【０００４】
測定管５００には、検出電極として電極Ａ４１０ａ、電極Ｂ４１０ｂが取り付けられており、測定管５００外の近傍に励磁コイル４１１が配置されている。励磁コイル４１１は、励磁部４４０が出力する励磁電流により磁界を生成する。励磁コイル４１１が生成する磁界、電極Ａ４１０ａおよび電極Ｂ４１０ｂの起電力検出方向、測定管５００の流路方向は互いに直交するように構成されている。
【０００５】
励磁部４４０が出力する励磁電流は、ゼロ点を安定させるとともに、耐ノイズ性、高速応答性を高めるために、図９（ａ）に示すような短周期のパルスと長周期のパルスとを重畳し、正励磁期間と負励磁期間とを有する２周波励磁波形としている。ただし、１周波励磁波形あるいはその他の励磁波形であってもよい。
【０００６】
励磁部４４０は、電流制御部４４１、スイッチング部４４２、電源４４３を備えており、制御部４３０の励磁制御部４３１の制御の下で、電源４４３が供給する電力を正負制御およびＰＷＭ制御することにより、上述の２周波励磁波形を出力する。ＰＷＭ制御においては、電流制御部４４１が、電流検出抵抗Ｒｄを利用して励磁電流を検出し、所定の電流値となるようにスイッチング部４４２の動作を制御する。このため、図９（ｂ）の励磁波形の拡大図に示すように、励磁波形はスイッチング動作に応じたリプル成分を含有している。
【０００７】
励磁コイル４１１が生成する磁界によって測定管５００内で発生した起電力は、電極Ａ４１０ａ、電極Ｂ４１０ｂで検出され、図示しないバッファを介して差動増幅器４２０に入力され、差分が流量信号として取り出される。
【０００８】
差動増幅器４２０が出力する流量信号は、図示しないＡ／Ｄ変換器によりディジタル変換される。そして、制御部４３０の流量演算部４３２に入力され、流量信号に基づいて被測定流体の流量が演算される。
【先行技術文献】
【特許文献】
【０００９】
【特許文献１】特開２００８−２０３６４号公報
【特許文献２】特開２００３−１０６８７９号公報
【発明の概要】
【発明が解決しようとする課題】
【００１０】
電磁流量計４００では、測定管５００のシール部材の経年劣化等により被測定流体が励磁コイル４１１に浸入する等が原因となって、励磁コイル４１１の線間絶縁が劣化することがある。
【００１１】
励磁コイル４１１の線間の絶縁が劣化すると、生成される磁界が変化して流量測定に影響を与えたり、測定不能となるおそれがある。このため、例えば、絶縁抵抗診断部４５０を設け、励磁コイル４１１の絶縁抵抗の劣化度を診断することが従来から提案されている。絶縁抵抗診断部４５０としては、励磁コイル４１１のインダクタンスを測定する回路や励磁コイル４１１の抵抗を測定する回路が用いられる。これは、励磁コイル４１１の線間の絶縁劣化が進むとインダクタンスが小さくなり、さらに絶縁劣化が進むと励磁コイル４１１の抵抗値が小さくなるという特性を利用したものである。
【００１２】
このように、励磁コイル４１１のインダクタンスや抵抗を測定する回路を用いて励磁コイル４１１の絶縁抵抗の劣化度を診断することが可能であるが、絶縁劣化診断のための測定回路を流量測定の回路とは別に設けなければならず、コストの上昇等を招くことになる。このため、本来的に備えている流量測定用の回路を利用してコイルの絶縁劣化を診断できるようになれば有益である。
【００１３】
そこで、本発明は、電磁流量計において、流量測定の回路を利用してコイルの絶縁劣化を診断できるようにすることを目的とする。
【課題を解決するための手段】
【００１４】
上記課題を解決するため、本発明の第１の態様である電磁流量計は、所定波形の励磁電流を励磁コイルに印加し、測定管内を流れる被測定流体の起電力に基づく流量信号を取得して前記被測定流体の流量を測定する電磁流量計であって、前記励磁電流を検出する検出抵抗と、前記励磁電流の検出結果に基づいたフィードバック制御によるスイッチング動作により前記所定波形の励磁電流を生成する励磁部と、検出された前記励磁電流が含有するリプル量に基づいて前記励磁コイルの絶縁劣化を診断する診断部とを備えることを特徴とする。
ここで、前記診断部は、前記リプル量が基準値を超えた場合に前記励磁コイルの絶縁が劣化したと判定することができる。
このとき、前記励磁部は、前記スイッチング動作におけるオン時のパルス幅の最小値を設け、前記診断部は、前記診断に加え、検出された前記励磁電流の値に基づいて前記励磁コイルの絶縁劣化を診断することができる。
また、前記診断部は、検出された前記励磁電流の値が第２基準値を超えた場合に前記励磁コイルの絶縁がさらに劣化したと判定するようにしてもよい。
上記課題を解決するため、本発明の第２の態様である電磁流量計における励磁コイルの絶縁劣化診断方法は、フィードバック制御によるスイッチング動作により生成される所定波形の励磁電流を励磁コイルに印加し、測定管内を流れる被測定流体の起電力に基づく流量信号を取得して前記被測定流体の流量を測定する電磁流量計における前記励磁コイルの絶縁劣化診断方法であって、前記励磁電流を検出し、検出された前記励磁電流が含有するリプル量に基づいて前記励磁コイルの絶縁劣化を診断することを特徴とする。
【発明の効果】
【００１５】
本発明によれば、電磁流量計において、流量測定の回路を利用してコイルの絶縁劣化を診断できるようになる。
【図面の簡単な説明】
【００１６】
【図１】本実施形態に係る電磁流量計の構成を示すブロック図である。
【図２】励磁部の構成を示すブロック図である。
【図３】コイル絶縁劣化診断部の動作を説明するフローチャートである。
【図４】励磁コイルの絶縁劣化とリプル量との関係について説明する図である。
【図５】励磁コイルの抵抗値低下を検出して第２のアラームを発生させる場合の励磁部の構成を示すブロック図である。
【図６】最小パルス幅と励磁電流の増加について説明する図である。
【図７】コイル絶縁劣化診断部の複数段階アラームを出力制御例を示す図である。
【図８】従来の電磁流量計の構成を示すブロック図である。
【図９】励磁波形について説明する図である。
【発明を実施するための形態】
【００１７】
本発明の実施の形態について図面を参照して説明する。図１は、本実施形態に係る電磁流量計１００の構成を示すブロック図である。本図に示すように、電磁流量計１００は、電極Ａ１１０ａ、電極Ｂ１１０ｂ、励磁コイル１１１、電流検出抵抗Ｒｄ、差動増幅器１２０、制御部１３０、励磁部１４０を備えており、測定管５００を流れる導電性の被測定流体の流量を測定する。制御部１３０は、ＣＰＵ等の演算処理装置を用いて構成することができる。
【００１８】
電極Ａ１１０ａ、電極Ｂ１１０ｂは、検出電極として測定管５００に取り付けられており、励磁コイル１１１は、測定管５００外の近傍に配置されている。励磁コイル１１１は、励磁部１４０が出力する励磁電流により磁界を生成する。励磁コイル１１１が生成する磁界、電極Ａ１１０ａおよび電極Ｂ１１０ｂの起電力検出方向、測定管５００の流路方向は互いに直交するように構成されている。
【００１９】
励磁部１４０が出力する励磁電流は、従来と同様に正励磁期間負励磁期間を有する電流であり、短周期のパルスと長周期のパルスとを重畳した２周波励磁波形としている。
【００２０】
励磁部１４０は、電流制御部１４１、スイッチング部１４２、定電圧ＶＥＸを出力する電源１４３を備えており、制御部１３０の励磁制御部１３１の制御の下で、電源１４３が供給する電力を正負制御およびＰＷＭ制御することにより、２周波励磁波形を出力する。ただし、１周波励磁波形あるいはその他の励磁波形であってもよい。
【００２１】
図２は、励磁部１４０の構成を示すブロック図である。本図に示すように、電流制御部１４１は、電流検出抵抗Ｒｄに生じた電圧降下に基づいて励磁電流を検出し、設定された電流値との差を出力する。この際に、励磁電流の正負を考慮する。そしてＰＷＭ制御部１４５が、この差に基づいて、出力する連続パルスのパルス幅を制御する。すなわち、フィードバック動作により励磁電流が設定された電流値になるように制御する。
【００２２】
スイッチング部１４２は正負の励磁電流を生成するために４つのスイッチを備えているが、本例では、４つのスイッチを２系列に分け、一方の系列のスイッチは励磁波形にしたがってオンオフ制御し、他方の系列のスイッチは、励磁波形とＰＷＭ制御されたパルスとのＡＮＤにしたがってオンオフ制御するようにしている。ただし、他のスイッチング制御であってもよい。例えば、励磁波形とＰＷＭ制御されたパルスとを別々のスイッチでそれぞれオンオフ制御するようにしてもよい。
【００２３】
図１の説明に戻って、励磁コイル１１１が生成する磁界によって測定管５００内で発生した起電力は、電極Ａ１１０ａ、電極Ｂ１１０ｂで検出され、図示しないバッファを介して差動増幅器１２０に入力され、差分が流量信号として取り出される。
【００２４】
差動増幅器１２０が出力する流量信号は、図示しないＡ／Ｄ変換器によりディジタル変換される。そして、制御部１３０の流量演算部１３２に入力され、流量信号に基づいて被測定流体の流量が演算される。
【００２５】
本実施形態の電磁流量計１００は、制御部１３０にコイル絶縁劣化診断部１３３を備えている。コイル絶縁劣化診断部１３３は、電流検出抵抗Ｒｄで検出される電流に基づいて励磁コイル１１１の絶縁劣化を診断する。電流検出抵抗Ｒｄは、従来から励磁電流を検出するために備えられているため、励磁コイル１１１の絶縁劣化診断用のための測定回路を別途設ける必要はない。
【００２６】
図３は、コイル絶縁劣化診断部１３３の動作を説明するフローチャートである。この動作は、電磁流量計１００の稼働中に常時行なうようにしてもよいし、所定間隔で行なったり、ユーザからの指示や起動等を契機に行なうようにしてもよい。
【００２７】
まず、電流検出抵抗Ｒｄに生じる電圧降下に基づいてパルスが発生している期間の励磁電流を検出する（Ｓ１０１）。上述のように、この励磁電流はスイッチング動作により所定値になるように制御されるため、リプル成分を含有している。
【００２８】
コイル絶縁劣化診断部１３３は、このリプル成分の量を測定する（Ｓ１０２）。リプル成分の量は、例えば、パルス発生期間における励磁電流の最大値と最小値との差の絶対値、パルス高に対する比率等で表わすことができる。この際に、ノイズ等の影響を除去する処理を行なうことが望ましい。
【００２９】
ここで、励磁コイル１１１の絶縁劣化とリプル量との関係について説明する。一般に、励磁コイル１１１の絶縁が劣化すると励磁コイル１１１のインダクタンスＬが小さくなる。励磁電流をｉとすると、電源１４３の出力電圧はＶＥＸで一定であるため、［数１］より、インダクタンスＬが小さくなると励磁電流の変動量であるｄｉが大きくなる。このため、図４に示すように、励磁コイル１１１の絶縁が劣化するとリプル量が大きくなる。
【数１】
2015014575.tif 000003
そこで、コイル絶縁劣化診断部１３３は、測定したリプル量があらかじめ設定された基準値を超えているかどうかを判定し（Ｓ１０３）、超えている場合は、アラームを出力して、励磁コイル１１１の絶縁が劣化していることをユーザに報知する（Ｓ１０４）。この際に、誤診断を避けるため、リプル量が基準値を超えている状態が継続している場合に、アラームを出力するようにしてもよい。また、検出される励磁電流が小さい場合には、増幅器を用いて増幅した信号により判定を行なうようにしてもよい。
【００３０】
なお、励磁電流のリプル量が増加すると電極１１０で検出される電圧が含むリプル成分も増加する。このリプル成分、あるいは流量演算部１３２に入力される流量信号に含まれるリプル成分の量を評価することで励磁コイル１１１の絶縁劣化を判定するようにしてもよい。
【００３１】
ところで、励磁コイル１１１は、絶縁劣化がさらに進むと抵抗値が減少するという特性を有している。電源１４３の出力電圧がＶＥＸで一定であるため、励磁コイル１１１の抵抗値が減少すると、励磁コイル１１１で消費される電力が小さくなる。
【００３２】
この特性を利用して、複数段階のアラームを出力させるようにしてもよい。この場合、励磁電流のリプル量に基づいて第１のアラームを発生させることで励磁コイル１１１の絶縁が劣化していることを報知し、抵抗値の減少に基づく消費電力低下を利用して第２のアラームを発生させることで励磁コイル１１１の絶縁がさらに劣化していることを報知することができる。
【００３３】
図５は、励磁コイル１１１の抵抗値低下を検出して第２のアラームを発生させる場合の励磁部１４０の構成を示すブロック図である。本図示すように、ＰＷＭ制御部１４５が最小パルス幅制限部１４６を備えている。その他のブロックについては、図２に示した励磁部１４０と同様である。
【００３４】
上述のように、ＰＷＭ制御部１４５は、電流検出部１４４により検出される電流値が所定の電流値となるようにスイッチング部１４２のスイッチング動作を制御する。具体的には、検出される電流が所定の電流値よりも小さければ、パルス幅が長くなるようにし、検出される電流が所定の電流値よりも大きければ、パルス幅が短くなるようにする。例えば、図６（ａ）に示すようなパルス幅でスイッチング動作を行なっている場合に、検出される電流値が上昇すると、図６（ｂ）に示すようにパルス幅を短くして、電流値の上昇を抑える。
【００３５】
最小パルス幅制限部１４６は、検出される電流が所定の電流値よりも大きい場合であっても、あらかじめ設定された最小パルス幅よりもパルス幅が短くならないように制限する。
【００３６】
ここで、最小パルス幅は、励磁コイル１１１が絶縁劣化していない通常時には必要な電力を励磁コイル１１１に供給できる程度の幅で、絶縁劣化が進んで消費電力が小さくなった場合にそれよりも大きな電力を供給する程度の幅とする。
【００３７】
すなわち、通常時にはパルス幅は最小パルス幅よりも十分に長いため、最小パルス幅の影響は受けずに、励磁コイル１１１での消費電力と励磁部１４０から供給される電力とがほぼ等しくなる。一方、絶縁劣化が進んだ状態では、パルス幅は最小パルス幅となり、励磁コイル１１１での消費電力よりも励磁部１４０から供給される電力が大きくなる。
【００３８】
この結果、絶縁劣化が進んだ状態では、図６（ｃ）に示すように、励磁電流は一定とならずに増加していき、所定の電流値よりも大きくなる。このため、コイル絶縁劣化診断部１３３は、励磁電流を測定し、所定の電流値よりも高くなったことを検知することで、絶縁劣化が進んだことを検出することができる。
【００３９】
そこで、コイル絶縁劣化診断部１３３は、例えば、図７に示すような複数段階のアラーム出力制御を行なうことができる。正常な状態から励磁コイル１１１の絶縁劣化が進むと、図７（ａ）に示すように、励磁コイル１１１のインダクタンスが減少し、リプル量が増加していく。そこで、リプル量がリプル量基準値を超えると第１アラームを発生させる。第１アラームを発生させるリプル量基準値は、測定結果に影響を与えない程度の絶縁劣化度に対応させておくようにする。
【００４０】
さらに、絶縁劣化が進むと、図７（ｂ）に示すように、励磁コイル１１１の抵抗値が減少していき、パルス幅が減少していく。そして、最小パルス幅までパルス幅が短くなると、励磁電流が増加している。そこで、励磁電流が励磁電流基準値を超えると第２アラームを発生させる。第２アラームを発生させる励磁電流基準値は、これ以上絶縁劣化が進むと測定結果に影響を与えるおそれのある絶縁劣化度に対応させておくようにする。また、パルス幅が最小パルス幅に達したときに、中間のアラームを発生させるようにしてもよい。
【００４１】
以上説明したように、本実施形態の電磁流量計によれば、励磁電流に基づいて励磁コイル１１１の絶縁劣化を診断するため、流量測定の回路を利用してコイルの絶縁劣化を診断できるようになる。また、複数の診断方法を採用することで、複数段階のアラーム出力制御を行なうことができるようになる。
【符号の説明】
【００４２】
１００…電磁流量計、１１０…電極、１１１…励磁コイル、１２０…差動増幅器、１３０…制御部、１３１…励磁制御部、１３２…流量演算部、１３３…コイル絶縁劣化診断部、１４０…励磁部、１４１…電流制御部、１４２…スイッチング部、１４３…電源、１４４…電流検出部、１４５…ＰＷＭ制御部、１４６…最小パルス幅制限部、４００…電磁流量計、４１１…励磁コイル、４２０…差動増幅器、４３０…制御部、４３１…励磁制御部、４３２…流量演算部、４４０…励磁部、４４１…電流制御部、４４２…スイッチング部、４４３…電源、４５０…絶縁抵抗診断部、５００…測定管
【図１】
2015014575.tif 000004
【図２】
2015014575.tif 000005
【図３】
2015014575.tif 000006
【図４】
2015014575.tif 000007
【図５】
2015014575.tif 000008
【図６】
2015014575.tif 000009
【図７】
2015014575.tif 000010
【図８】
2015014575.tif 000011
【図９】
2015014575.tif 000012